(57)【要約】【課題】比較的小さな床面積でありながら、複数の人間が狭隘感を持つことなく快適に過ごすことができる客室構造を提供する。【解決手段】客室構造１００は、通路Ｐに沿って配置され隔壁Ｗを挟んで隣り合う二つの客室１０１，１０２と、客室１０１，１０２の通路Ｐに面する壁体１０１ｗ，１０２ｗにそれぞれ設けられた出入り口１１，１２と、隔壁Ｗに開設された通行口１０と、客室１０１，１０２内に配置された二段ベッド３０Ｌ，３０Ｒと、を備えている。客室１０１，１０２の出入り口１１，１２にはそれぞれドア１３，１４が設けられ、隔壁Ｗに開設された通行口１０には、互いに平行をなす二枚のドア１５，１６が設けられている。二段ベッド３０Ｌは、床側に位置する下段ベッド３１と、天井側に位置する上段ベッド３２と、を備えている。上段ベッド３２の横幅３２ｗは下段ベッド３１の横幅３１ｗより小である。【選択図】図１
2018084036.tif 000002
【特許請求の範囲】
【請求項１】
通路に沿って配置され隔壁を挟んで隣り合う二つの客室と、前記客室の前記通路に面する壁体に設けられた出入り口と、前記隔壁に設けられた通行口と、前記客室内に配置された二段ベッドと、を備え、前記二段ベッドを構成する上段ベッドの横幅が下段ベッドの横幅より小である客室構造。
【請求項２】
前記通行口に、互いに平行をなす二枚のドアを設けた請求項１記載の客室構造。
【請求項３】
前記客室の平面視形状が略四角形であり、前記客室内において前記隔壁と平行をなす壁体に近接した位置に前記二段ベッドが配置された請求項１または２記載の客室構造。
【請求項４】
前記客室内にそれぞれユニットバスを備えた請求項１〜３のいずれかの項に記載の客室構造。
【請求項５】
二つの前記客室内の前記隔壁を挟んで対称な位置にそれぞれデスクを設けた請求項１〜４のいずれかの項に記載の客室構造。
【発明の詳細な説明】
【技術分野】
【０００１】
本発明は、ビジネスホテルなどの集合型宿泊施設における客室構造に関する。
【背景技術】
【０００２】
ビジネスホテルなどの集合型宿泊施設においては、限られたスペースに出来るだけ多くの人間が宿泊できるようにする必要があるため、従来、客室のコンパクトや客室内設備の集約化などの様々な工夫がなされている。
【０００３】
一方、本発明に関連する従来技術として、引用文献１に記載された「ホテル客室」がある。この「ホテル客室」は、この客室を使用する複数のゲストが混雑感を生じ難いようにするため、引用文献１の［図２］に記載されているように、隣り合う二つの客室を区画する壁をＳ字形状としたり、これによって形成されたスペースにソファや折りたたみベッドを配置したりすることができるように構成されている。
【先行技術文献】
【特許文献】
【０００４】
【特許文献１】特開２０１４−７７３４３号公報
【発明の概要】
【発明が解決しようとする課題】
【０００５】
特許文献１に記載された「ホテル客室」は、この客室を使用する複数のゲストが混雑感を生じ難いようにするという点においては、ある程度の効果を得ることができると推測されるが、客室空間の有効利用や快適性の確保などの点においては、改良の余地がある。
【０００６】
そこで、本発明が解決しようとする課題は、比較的小さな床面積でありながら、複数の人間が狭隘感を持つことなく快適に過ごすことができる客室構造を提供することにある。
【課題を解決するための手段】
【０００７】
本発明の客室構造は、通路に沿って配置され隔壁を挟んで隣り合う二つの客室と、前記客室の前記通路に面する壁体に設けられた出入り口と、前記隔壁に設けられた通行口と、前記客室内に配置された二段ベッドと、を備え、前記二段ベッドを構成する上段ベッドの横幅が下段ベッドの横幅より小であることを特徴とする。なお、上段ベッド（下段ベッド）の横幅とは、当該ベッド上に仰臥した人間を基準にしたときの左右方向の長さをいう。
【０００８】
ここで、前記客室構造においては、前記通行口に、互いに平行をなす二枚のドアを設けることが望ましい。
【０００９】
また、前記客室構造においては、前記客室の平面視形状が略四角形であり、前記客室内において前記隔壁と平行をなす壁体に近接した位置に前記二段ベッドが配置された構成とすることができる。
【００１０】
さらに、前記客室構造においては、前記客室内にそれぞれユニットバスを備えることが望ましい。
【００１１】
一方、前記客室構造においては、二つの前記客室内の前記隔壁を挟んで対称な位置にそれぞれデスクを設けることもできる。
【発明の効果】
【００１２】
本発明により、比較的小さな床面積でありながら、複数の人間が狭隘感を持つことなく快適に過ごすことができる客室構造を提供することができる。
【図面の簡単な説明】
【００１３】
【図１】本発明の実施形態である客室構造の概略構成を示す平面図である。
【図２】本発明の実施形態である客室構造を示す平面図である。
【図３】図２中の矢線Ａ方向から見た一部省略室内構造図である。
【図４】図２中の矢線Ｂ方向から見た一部省略室内構造図である。
【図５】図２中の矢線Ｃ方向から見た一部省略室内構造図である。
【図６】図２中の矢線Ｄ方向から見た一部省略室内構造図である。
【図７】図６中に示す二段ベッドの側面図である。
【図８】図７中の矢線Ｅ方向から二段ベッドを見た図である。
【図９】図７中の矢線Ｆ方向から二段ベッドを見た図である。
【図１０】上段ベッドに関するその他の実施形態を示す一部省略斜視図である。
【発明を実施するための形態】
【００１４】
以下、図１〜図１０に基づいて、本発明の実施形態である客室構造１００について説明する。
【００１５】
図１に基づいて、客室構造１００の概略構成について説明する。図１に示すように、本実施形態の客室構造１００は、通路Ｐに沿って配置され隔壁Ｗを挟んで隣り合う二つの客室１０１，１０２と、客室１０１，１０２の通路Ｐに面する壁体１０１ｗ，１０２ｗにそれぞれ設けられた出入り口１１，１２と、隔壁Ｗに開設された通行口１０と、客室１０１，１０２内に配置された二段ベッド３０Ｌ，３０Ｒと、を備えている。
【００１６】
客室１０１，１０２の出入り口１１，１２にはそれぞれドア１３，１４が設けられている。隔壁Ｗに開設された通行口１０には、互いに平行をなす二枚のドア１５，１６が設けられている。ドア１５は客室１０１側から開閉可能であり、ドア１６は客室１０２側から開閉可能である。ドア１５，１６は蝶番部（図示せず）を中心に１８０度回動可能であるため、開いたドア１５，１６はそれぞれ隔壁Ｗと平行をなす状態に保つことができる。
【００１７】
客室構造１００を構成する客室１０１，１０２の平面視形状は略四角形であり、客室１０１，１０２内において隔壁Ｗと平行をなす壁体１０３ｗ，１０４ｗに近接した位置にそれぞれ二段ベッド３０Ｌ，３０Ｒが配置されている。
【００１８】
客室１０１（１０２）内において、壁体１０１ｗ，１０３ｗ（１０２ｗ，１０４ｗ）に近接した部分にユニットバスＵＢ１（ＵＢ２）が配置されている。また、二つの客室１０１，１０２内において隔壁Ｗを挟んで対称な位置にそれぞれデスクＤ１，Ｄ２が設けられている。
【００１９】
客室１０１（１０２）内に配置された二段ベッド３０Ｌ（３０Ｒ）は、壁体１０３ｗ（１０４ｗ）及び外壁１０５ｗ（１０６ｗ）に近接した部分に配置されている。二段ベッド３０Ｌ，３０Ｒの構造は隔壁Ｗを挟んで互いに鏡面対照な構造であるため、以下、二段ベッド３０Ｌについて説明し、二段ベッド３０Ｒについての説明は省略する。
【００２０】
二段ベッド３０Ｌは、床側に位置する下段ベッド３１と、天井側に位置する上段ベッド３２と、を備えている。上段ベッド３２の横幅３２ｗは下段ベッド３１の横幅３１ｗより小である。
【００２１】
客室構造１００において、ドア１５，１６を開放すると、隔壁Ｗを挟んで隣り合う二つの客室１０１，１０２は通行口１０を通じて繋がった状態となるので、宿泊客は通行口１０を経由して自由に行き来することができる。また、二段ベッド３０Ｌにおいて、上段ベッド３２の横幅３２ｗは下段ベッド３１の横幅３１ｗより小であるため、下段ベッド３１に仰臥する人間が感じる圧迫感を軽減することができる。従って、客室構造１００においては、比較的小さな床面積でありながら、複数の人間が狭隘感を持つことなく快適に過ごすことができる。
【００２２】
次に、図２〜図６に基づいて、客室構造１００について詳しく説明する。なお、客室１０１，１０２は隔壁Ｗを挟んで互いに鏡面対照な構造であるため、以下、客室１０１について説明し、客室１０２についての説明は省略する。
【００２３】
図２に示すように、ユニットバスＵＢ１は、浴槽１７、洗面台１８及び洋式便器１９などを具備している。図２，図３に示すように、外壁１０５ｗには開閉可能なガラス窓２０が設けられ、外壁１０５ｗの室内側面にはハンガーパネル２１が配置されている。図２，図４に示すように、隔壁Ｗの室内側面の出入り口１１寄りの部分には鏡２２が配置されている。デスクＤ１の上方の天井部分にはシーリングライト２８が配置されている。
【００２４】
図５に示すように、出入り口１１の上方にはエアコン２３が配置され、二段ベッド３０Ｌの上方の天井部分には二段ベッド３０Ｌ用のダウンライト２４が配置され、二段ベッド３０Ｌのヘッドボード３３にはエアコン２３用のリモコン３４と、スイッチ・コンセントプレート３５が配置されている。
【００２５】
図２，図６に示すように、二段ベッド３０Ｌは、そのヘッドボード３３を、ユニットバスＵＢ１の壁部２５に接触させた状態で配置されている。ユニットバスＵＢ１の出入り口２６には折り畳み式のドア２７が設けられている。出入り口２６の周囲の手の届く部分には、シーリングライト２８用（図４参照）のスイッチ２９、２４時間換気用のスイッチ４０、非常用片切スイッチ４１及びコンセント４２が配置されている。
【００２６】
次に、図７〜図９に基づいて、二段ベッド３０Ｌについて説明する。図７〜図９に示すように、二段ベッド３０Ｌは、下段ベッド３１と、上段ベッド３２と、を備えている。上段ベッド３２は、略直方格子形状の支持フレーム５１の上面に長方形平板状の床材５２を取り付けることによって形成されている。支持フレーム５１は、複数の角パイプ材５０を立体的に組み合わせ、接合部分をボルトナットで締結することによって形成されている。
【００２７】
支持フレーム５１の上縁部分において、床材５２の二つの短辺部分及び一方の長辺部分には、それぞれ柵状の手摺り５３，５４及び手摺り５５が立設されている。また、床材５２の手摺り５４側の短辺部分には、可動式梯子５６が着脱可能に取り付けられている。
可動式梯子５６を構成する二本の支柱５６ｐ，５６ｐの上端部５６ａ，５６ａにはそれぞれ倒立Ｊ字形状をしたフック５７，５７が設けられ、その下方の支柱５６ｐ，５６ｐにそれぞれグリップ５８，５８が設けられている。グリップ５８，５８の長さは支柱５６ｐ，５６ｐの長さの半分程度である。
【００２８】
図７に示すように、梯子５６の支柱５６ｐ，５６ｐの上端部５６ａ，５６ａのフック５７，５７を、手摺り５４，５５の隙間に位置する角パイプ材５０ａに引っ掛け、支柱５６ｐ，５６ｐの下端部５６ｂ，５６ｂをそれぞれ床面ＦＬに接地させると、梯子５６は支持フレーム５１に対し、安定的かつ着脱可能に係止される。二段ベッド３０Ｌにおいて、上段ベッド３２及びそれに載る人間の重量は支持フレーム５１を介して床面ＦＬに加わるので、下段ベッド３１に無理な荷重が加わることはない。
【００２９】
図１，図８に示すように、二段ベッド３０Ｌにおいては、上段ベッド３２の横幅３２ｗは下段ベッド３１の横幅３１ｗの半分程度であるため、下段ベッド３１に仰臥する人間が感じる圧迫感を軽減することができる。また、上段ベッド３２の使用者は、下段ベッド３１のフット部３１ｆ側に配置された梯子５６を利用して上り下りすることができるので、下段ベッド３１の使用者への悪影響も抑制することができる。
【００３０】
次に、図１０に基づいて、その他の実施形態である上段ベッド６０について説明する。上段ベッド６０は、略直方格子形状の支持フレーム６１の上面に長方形平板状の床材６２を取り付けることによって形成されている。支持フレーム６１は、複数の角パイプ材５０を立体的に組み合わせて、接合部分をボルトナットで締結することによって形成されている。
【００３１】
支持フレーム６１の上縁部分において、床材６２の一方の短辺に沿った部分及び一方の長辺に沿った部分に、それぞれ柵状の手摺り６３，６４が立設されている。また、床材６２の手摺り６３と反対側の短辺部分には、梯子７１を備えた副支持フレーム７０が着脱可能に取り付けられている。
【００３２】
副支持フレーム７０は、角パイプ材５０で形成された長方形格子状の支持枠体７２と、支持枠体７２と一体的に形成された梯子７１と、を備えている。梯子７１は、支持枠体７２から水平方向に膨出するように形成された一対の手摺り部材７３，７３と、手摺り部材７３，７３の間に配列された複数の踏み桟７４とで形成されている。副支持フレーム７０において、梯子７１と支持枠体７２との間には、メッシュ材で形成された複数の棚部７５，７６が垂直方向に所定距離を隔てて設けられている。
【００３３】
上段ベッド６０は、図７に示す二段ベッド３０Ｌの上段ベッド３２と同様、下段ベッド３１と組み合わせることにより二段ベッド（図示せず）を形成することができ、客室構造１００を構成する二段ベッド３０Ｌと同様の機能を発揮する。また、上段ベッド６０は、複数の棚部７５，７６を備えているので、物品の収納用スペースなどとして利用することができる。
【００３４】
なお、図１〜図１０に基づいて説明した客室構造１００などは本発明に係る客室構造を例示するものであり、本発明に係る客室構造は前述した客室構造１００などに限定されない。
【産業上の利用可能性】
【００３５】
本発明の客室構造はビジネスホテルや観光ホテルなどの集合型宿泊施設における客室構造として広く利用することができる。
【符号の説明】
【００３６】
１０  通行口
１１，１２，２６  出入り口
１３，１４，１５，１６，２７  ドア
１７  浴槽
１８  洗面台
１９  便器
２０  ガラス窓
２１  ハンガーパネル
２２  鏡
２３  エアコン
２４  ダウンライト
２５  壁部
２８  シーリングライト
２９，４０  スイッチ
３０Ｌ，３０Ｒ  二段ベッド
３１  下段ベッド
３１ｆ  フット部
３１ｗ，３２ｗ  横幅
３２，６０  上段ベッド
３３  ヘッドボード
３４  リモコン
３５  スイッチ・コンセントプレート
４１  非常用片切スイッチ
４２  コンセント
５０  角パイプ材
５１，６１  支持フレーム
５２，６２  床材
５３，５４，５５，６３，６４  手摺り
５６  可動式梯子
５６ａ  上端部
５６ｂ  下端部
５６ｐ  支柱
５７  フック
５８  グリップ
７０  副支持フレーム
７１  梯子
７２  支持枠体
７３  手摺り部材
７４  踏み桟
７５，７６  棚部
１００  客室構造
１０１，１０２  客室
１０１ｗ，１０２ｗ，１０３ｗ，１０４ｗ  壁体
１０５ｗ，１０６ｗ  外壁
Ｄ１，Ｄ２  デスク
ＦＬ  床面
Ｐ  通路
ＵＢ１，ＵＢ２  ユニットバス
Ｗ  隔壁
【図１】
2018084036.tif 000003
【図２】
2018084036.tif 000004
【図３】
2018084036.tif 000005
【図４】
2018084036.tif 000006
【図５】
2018084036.tif 000007
【図６】
2018084036.tif 000008
【図７】
2018084036.tif 000009
【図８】
2018084036.tif 000010
【図９】
2018084036.tif 000011
【図１０】
2018084036.tif 000012